(57)【要約】【課題】電子ズーム時における表示遅延を低減し、かつ安定して表示することができる技術の実現。【解決手段】撮像装置は、撮像手段により所定のフレームレートで撮像された画像のデータを保持する保持手段と、前記撮像手段から出力される前記画像のデータを前記保持手段に書き込む書き込み手段と、前記保持手段に保持されたデータを読み出す読み出し手段と、前記読み出し手段により読み出されたデータに基づく画像を表示する表示手段と、前記読み出し手段による前記保持手段に保持されたデータの読み出しを制御する制御手段と、を有し、前記制御手段は、電子ズーム時と非電子ズーム時とで前記読み出し手段が前記保持手段から読み出すデータのフレームを異ならせるように制御する。【選択図】図３
2019134437.tif 000002
【特許請求の範囲】
【請求項１】
撮像手段により所定のフレームレートで撮像された画像のデータを保持する保持手段と、
前記撮像手段から出力される前記画像のデータを前記保持手段に書き込む書き込み手段と、
前記保持手段に保持されたデータを読み出す読み出し手段と、
前記読み出し手段により読み出されたデータに基づく画像を表示する表示手段と、
前記読み出し手段による前記保持手段に保持されたデータの読み出しを制御する制御手段と、を有し、
前記制御手段は、電子ズーム時と非電子ズーム時とで前記読み出し手段が前記保持手段から読み出すデータのフレームを異ならせるように制御することを特徴とする撮像装置。
【発明の詳細な説明】
【技術分野】
【０００１】
本発明は、電子ズーム時の画像の表示制御技術に関する。
【背景技術】
【０００２】
従来から、素早く動く被写体などをリアルタイムで表示したり、動画の撮影を行う際に、撮像のタイミングに対して表示のタイミングが遅れる表示遅延の問題を解決する技術が提案されている（特許文献１、２参照）。
【先行技術文献】
【特許文献】
【０００３】
【特許文献１】特開２０１２−２２２６４３号公報
【特許文献２】特開２００３−３２３３３３号公報
【発明の概要】
【発明が解決しようとする課題】
【０００４】
上記特許文献１では、表示のタイミングを調整することで表示遅延の低減を図っているが、素早く動く被写体などのように時間的に大きさや位置などが変化する被写体を撮影する場合、表示時と記録時のフレームレートが変化してしまうと動きのスムーズさが阻害されてしまい、見え方に違和感が出てしまう可能性がある。
【０００５】
また、上記特許文献２は、同じメモリに対してデータの読み出しが書き込みを追い越さないように遅延量を持たせてメモリへのアクセス制御を行うものであるが、電子ズーム時において読み出しのタイミングが遅れる可能性がある。すなわち、電子ズームにより画像の一部を拡大して表示する場合、メモリに書き込まれた画像領域の一部を切り出すことになるため、同じメモリに対してデータの書き込みと読み出しを行うと、非電子ズーム時よりも読み出しのタイミングが遅れる可能性がある。この遅れが、上記特許文献２で設定された遅延量を超えた場合、表示遅延量が不安定になる場合があり、これを防ぐために必要以上の遅延量を設けると表示遅延を増大させてしまう。
【０００６】
本発明は、上記課題に鑑みてなされ、電子ズーム時における表示遅延を低減し、かつ安定して画像を表示することができる技術を実現することを目的としている。
【課題を解決するための手段】
【０００７】
上記目的を達成するために、本発明の撮像装置は、撮像手段により所定のフレームレートで撮像された画像のデータを保持する保持手段と、前記撮像手段から出力される前記画像のデータを前記保持手段に書き込む書き込み手段と、前記保持手段に保持されたデータを読み出す読み出し手段と、前記読み出し手段により読み出されたデータに基づく画像を表示する表示手段と、前記読み出し手段による前記保持手段に保持されたデータの読み出しを制御する制御手段と、を有し、前記制御手段は、電子ズーム時と非電子ズーム時とで前記読み出し手段が前記保持手段から読み出すデータのフレームを異ならせるように制御する。
【発明の効果】
【０００８】
本発明によれば、電子ズーム時における表示遅延を低減し、かつ安定して画像を表示することができる。
【図面の簡単な説明】
【０００９】
【図１】本発明に係る実施形態の装置構成を示すブロック図。
【図２】実施形態１による画像の書き込み／読み出しタイミングを示す図。
【図３】非電子ズーム時における画像の書き込み／読み出しを示すタイミングチャート。
【図４】電子ズーム時における画像の書き込み／読み出しを示すタイミングチャート。
【図５】電子ズーム時における画像の読み出し／書き込みタイミングと画像の拡大率との関係を示す図。
【図６】実施形態２の電子ズーム時における画像の書き込み／読み出しを示すタイミングチャート。
【図７】ズームイン時の画像の読み出し／書き込みタイミングと画像の拡大率との関係を示す図。
【図８】ズームアウト時の画像の読み出し／書き込みタイミングと画像の拡大率との関係を示す図。
【発明を実施するための形態】
【００１０】
以下に、添付図面を参照して本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成しても良い。
【００１１】
［実施形態１］以下、本発明を、静止画や動画を撮影可能なデジタルカメラなどの撮像装置に適用した実施形態について説明する。なお、本発明は、スマートフォンやタブレット端末などの電子機器にも適用可能である。
【００１２】
＜装置構成＞図１を参照して、本発明に係る実施形態の撮像装置の構成および機能の概略について説明する。
【００１３】
撮像部１００は、レンズや絞り、シャッターを含む光学系を介して結像された被写体像を電気信号に変換するＣＣＤやＣＭＯＳなどで構成される撮像素子である。撮像部１００は、撮像素子から出力されるアナログ信号をデジタル信号に変換するＡ／Ｄ変換器を含む。
【００１４】
画像処理部１０１は、撮像部１００から出力される画像データに対して、ノイズ除去、ガンマ処理、補間処理、マトリクス変換、合成処理等の各種画像処理を施す。
【００１５】
メモリ書き込み部１０２は、画像処理部１０１により画像処理が施された画像データを画像表示用のメモリであるＶＲＡＭ１０３Ａ、１０３Ｂに書き込む。
【００１６】
ＶＲＡＭ１０３Ａ、１０３Ｂは、表示部１０６に表示するための画像データが描画され、本実施形態ではＤＲＡＭなどの揮発性メモリが使用される。なお、揮発性メモリのほか、データ転送が十分高速であれば、不揮発性メモリその他の一時記憶装置を使用してもよい。
【００１７】
メモリ書き込み部１０２は、ＶＲＡＭ１０３Ａ、１０３Ｂに複数フレーム分の画像データを書き込むことができる。本実施形態では、説明の便宜上、メモリ書き込み部１０２は２フレーム分の画像データをＶＲＡＭ１０３Ａ、１０３Ｂに交互に書き込む。
【００１８】
メモリ読み出し部１０４は、メモリ書き込み部１０２によりＶＲＡＭ１０３Ａ、１０３Ｂに書き込まれた画像データを読み出す。
【００１９】
画像変倍部１０５は、メモリ読み出し部１０４により読み出された画像データの特定の領域に対して拡大処理を施す。
【００２０】
表示部１０６は、液晶パネルや有機ＥＬパネルなどの表示デバイスからなり、画像変倍部１０５により拡大処理が施された画像データに基づいて画像の表示を行う。
【００２１】
同期信号生成部１０７は、フレームレートを規定する同期信号を生成し、撮像部１００、表示部１０６、後述する変倍制御部１０８、フレーム制御部１０９に同期信号を送出する。フレームレートは、所定の規格などに基づき規定される３０ｆｐｓ、６０ｆｐｓなどの一定のレートである。
【００２２】
変倍制御部１０８は、ユーザが装置に設けられたズームレバー（不図示）でズーム操作を行い、電子ズーム倍率が設定変更された場合に、同期信号生成部１０７から送出される同期信号を受けてフレームレート単位で拡大率と拡大領域を決定する。
【００２３】
フレーム制御部１０９は、変倍制御部１０８により決定された拡大率と拡大領域に応じてメモリ読み出し部１０４によるＶＲＡＭ１０３Ａ、１０３Ｂからの画像データの読み出しを制御する。
【００２４】
ここで、図２を参照して、電子ズームが行われていない非電子ズーム時における画像の読み出し／書き込みタイミングと表示タイミングの関係について説明する。
【００２５】
２００は撮像部１００から出力され、メモリ書き込み部１０２によりメモリに書き込まれる画像領域を示している。２０１はメモリ書き込み部１０２による書き込みの走査を示しており、ラスター処理により上端から下端方向に書き込みを行う。２１０はメモリ読み出し部１０４により読み出される画像領域を示している。２１１はメモリ読み出し部１０４による読み出しの走査を示しており、書き込みの走査２０１と同様にラスター処理を行う。２２０は表示部１０６に表示される画像領域を示している。本実施形態では表示画像２２０のサイズは読み出しの走査２１１の画像領域２１０と同じサイズとする。２２１は表示部１０６による表示の走査を示しており、書き込みの走査２１１と同様にラスター処理を行う。
【００２６】
図２において、表示の走査２２１は表示デバイスにより規定された画像サイズおよびレートで表示処理を行う必要がある。書き込みの走査２０１は、表示の走査２２１でのレートを満たすようにタイミングを合わせて各処理を行う。電子ズームが行われておらず、表示画像２２０と読み出しの走査２１１の画像領域２１０のサイズが同じ場合は、読み出しの走査２０１と表示の走査２２１は同じレートで処理することができる。一方、書き込みについては、図３で後述するように撮像部１００の同期信号（以下、撮像同期信号）に合わせて行う。上記のようなレートで表示処理を行う場合、書き込みの走査２０１と読み出しの走査２１１のタイミングを所定の遅延時間を持ってずらすことで、同じメモリ（ＶＲＡＭ）に対するアクセス（読み出しと書き込み）を同時に行う制御が可能となる。
【００２７】
次に、図３を参照して、本実施形態のメモリ書き込み部１０２とメモリ読み出し部１０４による画像の読み出し／書き込みタイミングについて説明する。
【００２８】
図３において、（ａ）は非電子ズーム時（通常時）、（ｂ）は電子ズーム時の画像の読み出し／書き込みタイミングをそれぞれ示している。また、図３において、横軸は時間、横軸は画像の水平方向ラインを示し、縦軸は矢印の方向に画像の下端から上端のラインを示している。
【００２９】
図３（ａ）において、３００は同期信号生成部１０７によって生成される撮像同期信号を示している。３０１はメモリ書き込み部１０２による画像の書き込みタイミングを示している。メモリ書き込み部１０２は、撮像同期信号３００のタイミングに従って、画像の上端から下端に向けてライン単位で画像を書き込む。一定の間隔で存在している３０２は同期信号生成部１０７によって生成される表示部１０６の同期信号（以下、表示同期信号）を示している。３０３は画像の読み出しタイミング（以下、メモリ読み出しタイミング）を示している。メモリ読み出し部１０４は、表示同期信号３０２に従って、画像の上端から下端に向けてライン単位で画像を読み出す。
【００３０】
本実施形態では、メモリの読み出しが書き込みを追い越さないようにするため、書き込みと読み出しのタイミングに所定の遅延量を持たせ、かつ読み出し速度を書き込み速度と同等以下（最大で１／２）としている。なお、読み出し速度が書き込み速度よりも高速の場合は、本例の場合よりも所定の遅延量を多く持たせて読み出しが書き込みを追い越さないようにすればよい。
【００３１】
３０４は同期の間隔を示しており、図３（ａ）では撮像同期信号３００と表示同期信号３０２は同じ間隔となっているが、異ならせてもよい。例えば、撮像同期信号３００が表示同期信号３０２に対して２倍のフレームレートの場合は、表示同期信号３０２は撮像同期信号３００に対して２倍の間隔の信号が生成されることになる。この場合、メモリ読み出し部１０４はメモリ書き込み部１０２が書き込むフレームに対して、１フレームずつ間引いて読み出せばよい。
【００３２】
３０５はメモリ読み出し部１０４が読み出す垂直方向の画像領域を示している。メモリ読み出し部１０４は、メモリの読み出し及び書き込み共に画像の上端から下端までアクセスしている。
【００３３】
図３（ａ）の非電子ズーム時において、表示同期信号３０２は撮像同期信号３００に比べて所定の遅延量だけタイミングを遅らせている。このような画像の読み出し／書き込みタイミングと表示タイミングの関係を保持することによって、メモリへのアクセスがある場合にも撮像部１００による画像の入力（撮像）から表示部１０６への出力（表示）までの表示タイミングを短縮することができるため、表示遅延を低減することができ、なおかつ所定の遅延量によってメモリの読み出しが書き込みを追い越さないことを保証している。このように読み出し／書き込みタイミングと表示タイミングとを制御することにより、必要最小限の遅延時間で画像をメモリに読み出し／書き込みすることができる。
【００３４】
次に、図３（ｂ）の電子ズーム時について説明する。図３（ａ）との違いは、メモリの読み出しタイミング３０３が書き込みタイミング３０１に対して１フレーム分遅れていることと、電子ズームによる拡大処理により画像全体ではなく、画像の一部の領域を読み出していることである。３１０はメモリ読み出し部１０４が読み出す垂直方向の画像領域を示している。３１１は拡大領域の中心であり、本実施形態では等倍画像の中心と同じ位置になっている。電子ズーム時は、表示部１０６に表示する画像は拡大された画像であるため、読み出す領域は画像の全体ではなく一部が切り出された画像となる。図３（ｂ）に示すように、読み出す画像領域３１０によっては表示同期信号３０２のタイミングにおいて、読み出す領域の画像の書き込みがまだ完了していない場合がある。このため、本実施形態では、電子ズーム時には、メモリの読み出しタイミング３０３を書き込みタイミング３０１に対して１フレーム分遅らせるように制御している。
【００３５】
フレーム制御部１０９は、図３（ａ）、（ｂ）に示すように画像を読み出すフレームメモリとしてＶＲＡＭ１０３ＡまたはＶＲＡＭ１０３Ｂを選択する。すなわち、フレーム制御部１０９は、ＶＲＡＭ１０３Ａに書き込みを行っている場合はＶＲＡＭ１０３Ｂから読み出し、ＶＲＡＭ１０３Ｂに書き込みを行っている場合はＶＲＡＭ１０３Ａから読み出すように制御する。
【００３６】
本実施形態では、非電子ズーム時は、メモリ書き込み部１０２がＶＲＡＭ１０３Ａ、１０３Ｂに交互に書き込みを行うのに対して、メモリ読み出し部１０４はメモリ書き込み部１０２が書き込みを行っているＶＲＡＭ１０３Ａ、１０３Ｂと同じフレームのＶＲＡＭ１０３Ａ、１０３Ｂから読み出す。これに対して、電子ズーム時は、メモリ読み出し部１０４は１フレーム前にＶＲＡＭ１０３Ａ、１０３Ｂに書き込まれた画像を読み出す。
【００３７】
なお、メモリの読み出しタイミングは１フレーム前に限らず、フレーム間の整合性が大きく変動しない場合には２フレーム以上前の画像、すなわち、少なくとも１フレーム前の画像を読み出すようにしてもよい。
【００３８】
ここで、図４を参照して、電子ズーム時における画像の読み出し／書き込みタイミングと表示タイミングの関係について説明する。
【００３９】
４００は撮像部１００から出力され、メモリ書き込み部１０２によりメモリに書き込まれる画像領域を示している。４０１はメモリ書き込み部１０２による書き込みの走査を示しており、ラスター処理により上端から下端方向に書き込みを行う。４１０はメモリ読み出し部１０４により読み出される画像領域であって、書き込まれたメモリと同じメモリから読み出される一部の画像領域を示している。４２０は１フレーム前の画像領域、４３０は画像の拡大領域、４３１はメモリ読み出し部１０４による読み出しの走査を示している。４４０は表示部１０６に表示される画像を示している。４４１は表示部１０６による表示の走査を示しており、書き込みの走査４０１と同様にラスター処理を行う。画像変倍部１０５は、１フレーム前の画像領域４２０から読み出した拡大領域４３０の画像サイズを表示画像４４０のサイズに拡大する処理を行う。
【００４０】
図２で説明したように、表示の走査４４１は表示デバイスにより規定された画像サイズおよびレートで表示処理を行う必要がある。図４に示すように、電子ズーム時は読み出し領域４３０と表示画像４４０のサイズが異なっているため、読み出しの走査４３１と表示の走査４４１のレートはそれぞれ異なる。図３（ｂ）で説明したように、読み出しの走査４３１は表示の走査４４１に対して開始のタイミングは同じであるが、読み出し速度は低速となる。このため、読み出す画像領域４１０において、書き込みの走査４０１がまだ行われていない場合がある。このため、本実施形態では、図３（ｂ）および図４に示したように、読み出しの走査４３１を１フレーム前の画像領域４２０から行う。このように電子ズームの有無に応じて読み出すメモリを切り替えることにより、画像の書き込みと読み出しのタイミングが安定するため、表示遅延を低減しつつ安定した表示を行うことが可能となる。
【００４１】
ここで、図５を参照して、電子ズーム時における画像の読み出し／書き込みタイミングと画像の拡大率との関係について説明する。
【００４２】
図５において、最上段の欄はメモリ書き込み部１０２により書き込まれる画像（書き込み画像）のフレーム番号を示している。２段目の欄は画像が書き込まれるメモリであるＶＲＡＭ１０３ＡまたはＶＲＡＭ１０３Ｂを示している。３段目と４段目の欄はメモリ読み出し部１０４により読み出される画像（読み出し画像）のフレーム番号と、画像が読み出されるメモリを示している。最下段の欄は変倍制御部１０８で制御される画像の拡大率を示している。
【００４３】
図５に示すように、書き込み画像のフレーム番号が０〜９の間は、書き込み画像と同じフレームの画像を読み出し、拡大率も１．０（等倍）である。書き込み画像のフレーム番号が１０の時点で電子ズームが開始されると、書き込み画像に対して１フレーム前の画像を読み出すので、読み出し画像のフレーム番号が９で、メモリ領域はＶＲＡＭ１０３Ｂとなる。一方、画像の拡大率は画像の書き込みおよび読み出しに関わらず独立に制御される。本実施形態では書き込み画像のフレーム番号が１０のときに１．１倍に変更され、次の１１番目のフレームでは画像の拡大率は１．２倍となる。図３に示したように、電子ズームの開始により読み出し画像はフレーム番号が９のＶＲＡＭ１０３Ｂから２回連続して読み出され、表示部１０６に出力されることになるが、画像の拡大率は０．１倍ずつ一定の割合で変更されていく。このように、読み出し画像のフレームメモリの切り替えに関わらずにズーム倍率の時間変動を維持するように制御することにより、スムーズなズーミング制御となり、違和感の少ない表示を行うことができる。
【００４４】
［実施形態２］次に、図６から図８を参照して、実施形態２について説明する。
【００４５】
実施形態１では、電子ズームの有無により読み出し画像のフレームメモリを切り替えていた。これに対して、実施形態２では、電子ズームのズーム倍率とズーム領域の位置に応じて読み出し画像を書き込み画像と同じフレームの画像とするか、書き込み画像に対して１フレーム前の画像とするかを切り替えている。実施形態１では、表示遅延は非電子ズーム時の表示遅延量を最小にするという観点での制御方法であったが、実施形態２では、電子ズーム中であっても、所定の表示遅延量で書き込みを追い越すことなく読み出し可能であるズーム倍率まで、読み出し画像と書き込み画像を同じフレームとする制御方法である。
【００４６】
なお、本実施形態の装置構成は、図１と同様であるため、説明を省略する。
【００４７】
図６（ａ）は電子ズームによる拡大処理を行っているが、読み出し画像が書き込み画像のフレームと同じ場合であり、６００は読み出し画像の垂直方向の画像領域、６０１は拡大領域の中心をそれぞれ示している。図６（ａ）では拡大率は等倍に近く、拡大領域の中心も等倍画像の中心に近い位置にある。この場合は読み出し開始位置は画像の上端に近い位置になる。表示同期信号６０２のタイミングで、同じフレームの読み出し開始位置での画像の書き込みが既に完了しているので、書き込み画像と同じフレームの画像を読み出すことが可能になる。
【００４８】
図６（ｂ）は電子ズームによる拡大処理を行っているが、読み出し画像が書き込み画像に対して１フレーム前の場合であり、６１０は読み出し画像の垂直方向の画像領域、６１１は拡大領域の中心をそれぞれ示している。図６（ｂ）では、拡大率は比較的大きく、拡大領域の中心も等倍画像の下端に近い位置にある。この場合は、表示同期信号６１２のタイミングで、同じフレームの読み出し開始位置での画像の書き込みがまだ完了しないので、書き込み画像と同じフレームの画像を読み出すことができない。このため、読み出し画像は書き込み画像に対して１フレーム分遅らせるように制御を行う。
【００４９】
図６（ａ）、（ｂ）からわかるように、電子ズームによる拡大率と拡大領域の位置によって同じフレームでも画像の読み出し開始位置が異なる。フレーム制御部１０９は、表示同期信号のタイミングと上記画像の読み出し開始位置とに基づいて読み出し画像を書き込み画像に対して１フレーム前とするか同じフレームとするかを切り替える。
【００５０】
次に、図７及び図８を参照して、実施形態２の電子ズーム時における画像の読み出し／書き込みタイミングと画像の拡大率との関係について説明する。
【００５１】
図７はズームイン方向、図８はズームアウト方向の場合をそれぞれ示しており、本実施形態ではズームイン方向とズームアウト方向とで読み出し画像のフレームの切り替えにヒステリシスを持たせた制御を行う。図中の上中下段の各欄は図３と同様である。
【００５２】
図７に示すズームイン方向では、書き込み画像のフレーム番号が０〜９の間は、書き込み画像と同じフレームの画像を読み出し、拡大率も１．０倍（等倍）から一定の割合で変化している。書き込み画像のフレーム番号が１０、拡大率が２．０倍となった時点で、等倍画像に対する拡大領域の位置が図６（ｂ）に示したような位置関係となり、同じフレームの読み出し開始位置での画像の書き込みが未完了で所定の表示遅延量を満たさなくなるため、フレーム制御部１０９は読み出し画像を１フレーム前の画像に切り替える。したがって読み出し画像のフレーム番号は９のＶＲＡＭ１０３Ｂとなる。一方、拡大率は画像の書き込みおよび読み出しに関わらずに制御される。なお、本実施形態では、書き込み画像のフレーム番号が１０のときに拡大率が２．０倍となっており、次の１１番目のフレームで拡大率は２．１倍となる。このように、実施形態１と同様、電子ズームのズーム倍率を一定の割合で変更していくことにより、スムーズなズーミング制御となり、違和感の少ない表示を行うことができる。
【００５３】
また、図８に示すズームアウト方向では、ズームイン方向とは反対に書き込み画像のフレーム番号が０〜９の間は、所定の表示遅延量を満たすように書き込み画像の１フレーム前の画像を読み出す。また、書き込み画像のフレーム番号が１０、拡大率が１．５倍となった時点では、同じフレームの読み出し開始位置での画像の書き込みが所定の遅延量の範囲内で完了するので、フレーム制御部１０９は読み出し画像のフレームを書き込み画像と同じとし、１０番目のフレームの読み出し画像をＶＲＡＭ１０３Ａから読み出すように切り替える。なお、拡大率の制御については図７の場合と同様に一定の割合でズーム倍率を変更していく。
【００５４】
このように、フレーム制御部１０９は、ズームインとズームアウトとで読み出し画像のフレームを切り替えるタイミングを、電子ズームの拡大率と拡大領域の位置に応じて変えるように制御を行う。これにより、ズームインとズームアウトをフレームの切り替えタイミング付近の拡大率で繰り返し行った場合であっても、読み出し画像のフレームの切り替えが頻繁に発生しないようになり、違和感のない表示を行うことができる。
【００５５】
以上のように、本実施形態によれば、所定の表示遅延量を満たすように、電子ズームのズーム倍率とズーム領域の位置に応じて読み出し画像のフレームを切り替えることにより、画像の書き込みと読み出しのタイミングが安定するため、表示遅延を低減しつつ安定した表示を行うことが可能となる。また、本実施形態によれば、電子ズーム中であっても所定のズーム倍率までは読み出しと書き込みを同じフレームで行うように制御できるため、表示遅延の低減効果を実施形態１よりも広い範囲に適用することができる。
【００５６】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５７】
１００…撮像部、１０１…画像処理部、１０２…メモリ書き込み部、１０３Ａ、１０３Ｂ…ＶＲＡＭ、１０４…メモリ読み出し部、１０５…画像変倍部、１０６…表示部、１０７…同期信号生成部、１０８…変倍制御部、１０９…フレーム制御部
【図１】
2019134437.tif 000003
【図２】
2019134437.tif 000004
【図３】
2019134437.tif 000005
【図４】
2019134437.tif 000006
【図５】
2019134437.tif 000007
【図６】
2019134437.tif 000008
【図７】
2019134437.tif 000009
【図８】
2019134437.tif 000010
【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
撮像手段により所定のフレームレートで撮像された画像のデータを保持する保持手段と、
前記撮像手段から出力される前記画像のデータを前記保持手段に書き込む書き込み手段と、
前記保持手段に保持されたデータを読み出す読み出し手段と、
前記読み出し手段により読み出されたデータに基づく画像を表示デバイスに出力する出力手段と、
前記保持手段により保持された、前記所定のフレームレートで撮像された画像のデータのフレームのうち、前記読み出し手段により読み出すフレームを制御する制御手段と、を有し、
前記制御手段は、電子ズーム時において前記読み出し手段が前記保持手段から読み出すフレームを、非電子ズーム時に読み出されるフレームよりも後のフレームとするように制御することを特徴とする撮像装置。
【請求項２】
前記制御手段は、非電子ズーム時においては前記書き込み手段が書き込みを行っているフレームと同じフレームを前記読み出し手段が読み出す第１の制御を行い、電子ズーム時においては前記書き込み手段が書き込みを行っているフレームの１フレーム前に前記保持手段に書き込まれたフレームを読み出す第２の制御を行うことを特徴とする請求項１に記載の撮像装置。
【請求項３】
前記保持手段は、前記書き込み手段がフレームごとに前記画像のデータを書き込むための複数のメモリを有し、
前記制御手段は、前記書き込み手段がフレームごとに前記メモリを切り替えてデータを書き込むように制御を行い、
前記第１の制御においては前記読み出し手段が読み出すメモリを切り替えながらフレームを読み出すように制御することを特徴とする請求項２に記載の撮像装置。
【請求項４】
前記表示デバイスに表示する画像のサイズを変更するズーム手段と、
電子ズーム時のズーム倍率に応じて画像を変倍したデータを生成する画像変倍手段と、
電子ズーム時において前記制御手段が前記第２の制御を行っているときに、前記ズーム手段により設定されたズーム倍率になるまでフレームごとに所定の割合でズーム倍率を変更していく変倍制御手段と、をさらに有することを特徴とする請求項２または３に記載の撮像装置。
【請求項５】
前記変倍制御手段は、前記ズーム倍率に応じて前記読み出し手段が前記保持手段に保持された画像のデータのフレームから画像の一部のデータを読み出すように制御を行うことを特徴とする請求項４に記載の撮像装置。
【請求項６】
前記書き込み手段がデータを書き込むタイミングと、前記読み出し手段がデータを読み出すタイミングとを所定の遅延量を持って同期させるための同期信号を生成する信号生成手段をさらに有することを特徴とする請求項１から５のいずれか１項に記載の撮像装置。
【請求項７】
撮像手段により所定のフレームレートで撮像された画像のデータを保持する保持手段を有する撮像装置の制御方法であって、
前記撮像手段から出力される前記画像のデータを前記保持手段に書き込むステップと、前記保持手段に保持されたデータを読み出すステップと、
前記読み出されたデータに基づく画像を表示デバイスに出力するステップと、
前記保持手段により保持された、前記所定のフレームレートで撮像された画像のデータのフレームのうち、前記読み出すステップにより読み出すフレームを制御するステップと、を有し、
前記制御するステップでは、電子ズーム時において前記読み出すステップにおいて前記保持手段から読み出すフレームを、非電子ズーム時に読み出されるフレームよりも後のフレームとするように制御することを特徴とする撮像装置の制御方法。
【請求項８】
コンピュータを、請求項１ないし６のいずれか１項に記載された撮像装置の各手段として機能させるためのプログラム。
【手続補正３】
【補正対象書類名】明細書
【補正対象項目名】０００６
【補正方法】変更
【補正の内容】
【０００６】
本発明は、上記課題に鑑みてなされ、電子ズームが行われる場合であっても安定して画像を表示することができる技術を実現することを目的としている。
【手続補正４】
【補正対象書類名】明細書
【補正対象項目名】０００７
【補正方法】変更
【補正の内容】
【０００７】
上記課題を解決し、目的を達成するために、本発明の撮像装置は、撮像手段により所定のフレームレートで撮像された画像のデータを保持する保持手段と、前記撮像手段から出力される前記画像のデータを前記保持手段に書き込む書き込み手段と、前記保持手段に保持されたデータを読み出す読み出し手段と、前記読み出し手段により読み出されたデータに基づく画像を表示デバイスに出力する出力手段と、前記保持手段により保持された、前記所定のフレームレートで撮像された画像のデータのフレームのうち、前記読み出し手段により読み出すフレームを制御する制御手段と、を有し、前記制御手段は、電子ズーム時において前記読み出し手段が前記保持手段から読み出すフレームを、非電子ズーム時に読み出されるフレームよりも後のフレームとするように制御する。
【手続補正５】
【補正対象書類名】明細書
【補正対象項目名】０００８
【補正方法】変更
【補正の内容】
【０００８】
本発明によれば、電子ズームが行われる場合であっても安定して画像を表示することができる。